(57)【要約】【課題】照明装置の内部における配線の配策経路の簡素化や電気回路の簡素化に貢献することができる照明装置を提供すること。【解決手段】一つ以上の発光素子を実装した光源部を備えた照明装置であって、外部電源からの電力を供給する電源線を接続した端子台と、端子台に接続線を介して接続し、光源部に供給する点灯電力を生成する電源装置と、発光素子を点灯操作するためのスイッチ部と、光源部と端子台と電源装置とスイッチ部とを搭載した器具本体と、を備え、スイッチ部は、外部電源と端子台との間に配置した。【選択図】図４
2017041345.tif 000002
【特許請求の範囲】
【請求項１】
一つ以上の発光素子を実装した光源部を備えた照明装置であって、
外部電源からの電力を供給する電源線を接続した端子台と、
前記端子台に接続線を介して接続し、前記光源部に供給する点灯電力を生成する電源装置と、
前記発光素子の点灯状態を変更するためのスイッチ部と、
前記光源部と前記端子台と前記電源装置と前記スイッチ部とを搭載した器具本体と、
を備え、
前記スイッチ部は、
前記外部電源と前記端子台との間に配置された照明装置。
【請求項２】
前記スイッチ部は、
操作部の引っ張り操作に連動して前記光源部への電力の供給を切り替えて前記発光素子を点消灯するプルスイッチである請求項１に記載の照明装置。
【請求項３】
前記スイッチ部は、
無線信号を受信してそれに応じて前記発光素子の点灯状態を変更するスイッチである請求項1に記載の照明装置。
【請求項４】
前記光源部は、
前記一つ以上の発光素子を実装した長尺状の光源基板を備え、
前記器具本体は、
前記光源基板の発光素子実装面を下方から覆うカバーを備え、
前記スイッチ部は、
前記器具本体の縦壁面に固定した筐体と、
前記筐体の底面から、前記カバーを避けるように前記器具本体の短手方向底面に開設した穴部を貫通して先端を外部に突出させた操作杆と、
前記操作杆の先端に接続した紐状の操作体と、
を備える請求項２に記載の照明装置。
【発明の詳細な説明】
【技術分野】
【０００１】
本発明は、照明装置、特に、照明光源に発光素子を用いた照明装置に関する。
【背景技術】
【０００２】
近年、照明光源としての発光素子を用いた照明装置が周知である。また、このような照明装置には、交換可能な電球型や管体型に加え、発光素子が長寿命であることや放熱を考慮する必要があるなどを要因として、照明光源を簡易的には交換できない据置型が多く見受けられるようになっている。
【０００３】
また、このような照明装置には、外部電源からの電力を電源装置に中継するための端子台を備えているものがある（例えば、特許文献１参照）。
【先行技術文献】
【特許文献】
【０００４】
【特許文献１】特開２０１５−０８８４２９号公報
【発明の概要】
【発明が解決しようとする課題】
【０００５】
一方、このような照明装置にあっては、例えば、室内壁面に設けたスイッチによるスイッチング操作では、複数の照明装置に対してＯＮ／ＯＦＦを連動させるように構成したものがある。このような場合、照明装置に対して個別にＯＮ／ＯＦＦするスイッチング機能を、室内壁面に設けたスイッチとは独立したスイッチ部を照明装置に別途に設けたいという要望がある。
【０００６】
このよう場合、照明装置に配置するスイッチ部にあっては、照明装置の内部における配線の配策経路の簡素化や電気回路の簡素化が望まれていた。
【０００７】
本発明は、上述のような課題を解決するために、照明装置の内部における配線の配策経路の簡素化や電気回路の簡素化に貢献することができる照明装置を提供することを目的とする。
【課題を解決するための手段】
【０００８】
本発明に係る照明装置は、上記目的を達成のため、一つ以上の発光素子を実装した光源部を備えた照明装置であって、外部電源からの電力を供給する電源線を接続した端子台と、端子台に接続線を介して接続し、光源部に供給する点灯電力を生成する電源装置と、発光素子を点灯操作するためのスイッチ部と、光源部と端子台と電源装置とスイッチ部とを搭載した器具本体と、を備え、スイッチ部は、外部電源と端子台との間に配置したものである。
【発明の効果】
【０００９】
本発明によれば、スイッチ部を外部電源と端子台との間に配置したことにより、照明装置の内部における配線の配策経路の簡素化や電気回路の簡素化に貢献することができる。
【図面の簡単な説明】
【００１０】
【図１】本発明の一実施の形態に係る照明装置の外観を示す斜視図である。
【図２】本発明の一実施の形態に係る照明装置の分解斜視図である。
【図３】本発明の一実施の形態に係る照明装置の断面図である。
【図４】本発明の一実施の形態に係る照明装置の要部の斜視図である。
【図５】本発明の一実施の形態に係る照明装置のスイッチ部としてプルスイッチを配置した場合のブロック回路図である。
【図６】本発明の一実施の形態に係る照明装置のスイッチ部としてセンサスイッチを配置した場合のブロック回路図である。
【図７】本発明の一実施の形態に係る他の照明装置の分解斜視図である。
【図８】本発明の一実施の形態に係る他の照明装置の断面図である。
【図９】本発明の一実施の形態に係る他の照明装置の要部の斜視図である。
【発明を実施するための形態】
【００１１】
次に、本発明に係る一実施の形態について図面を参照して説明する。
【００１２】
本実施の形態として示す照明装置は、例えば、建物の天井に直接固定（又は吊り下げ固定）した照明装置に適用したものである。
【００１３】
図１に示すように、照明装置１は、設置状態において、図示上方を建物の天井側、図示下方を室内側、としている。したがって、以下においては、照明装置１を設置した状態における上下関係をそのまま上下方向として説明する。
【００１４】
照明装置１は、装置全体の長さ（長手方向）及び幅（短手方向）を規定する長尺な器具本体２と、器具本体２に着脱自在に取り付けたカバー３と、を備える。照明装置１は、図２に示すように、その内部に、一つ以上の発光素子４を実装した光源部としての光源基板５と、底面に光源基板５を固定した固定板６と、外部電源からの電力を供給する電源線（図示せず）を接続した端子台７と、電源装置８と、発光素子４を点灯操作するためのスイッチ部９と、を備える。
【００１５】
器具本体２は、図３に示すように、板金の折り曲げ加工により上方に開口するとともに、短手方向に沿う中央から両端に向けて上向きに拡開する扁平な箱状に形成している。なお、以下の説明においては、「短手方向に沿う方向」を、単に「幅」若しくは「幅方向」と称する。器具本体２は、幅方向の中央を含む所定幅で上方に向けて凹陥させることで下方に開口する光源収納凹部１０と、光源収納凹部１０の下端から幅方向の両端に向けて上向きに傾斜する傾斜部１１と、を一体に有する。
【００１６】
光源収納凹部１０は、器具本体２の長手方向に沿う略全長に亘って設けられている（図２参照）。また、光源収納凹部１０の上面１０ａは、端子台７と電源装置８とを固定している。光源収納凹部１０は、上面１０ａの一部を切り起こすことによって一方の縦壁１０ｂと面一の固定壁１０ｃを一体に有する。
【００１７】
傾斜部１１は、光源収納凹部１０の両端と連続して平坦な平坦壁１１ａと、平坦壁１１ａから連続して傾斜した傾斜壁１１ｂと、傾斜壁１１ｂから連続して立ち上がる高壁１１ｃと、高壁１１ｃから連続して内向きに折り返した折返壁１１ｄと、を一体に有する。なお、これら各壁の幅方向の長さや角度等は照明装置１の外観の一部となるため、設計によって任意である。この際、光源収納凹部１０の深さと上面１０ａに固定した端子台７及び電源装置８の高さを考慮する。平坦壁１１ａは、一つの貫通した穴部１１ｅを有する。
【００１８】
カバー３は、光源基板５の発光素子４を実装した発光素子実装面である下面を下方から覆うとともに、無色若しくは有色透明な樹脂材料（例えば、乳白色のアクリル樹脂）により上方を開口した長尺状に形成している。カバー３は、幅方向において中央から両端に向かうほど拡開する透過部３ａを有する。なお、透過部３ａは、発光素子４から出射した照明光束を拡散するように発光素子４に対して傾斜して対向させているが、例えば、内面にフレネルレンズや拡散プリズム等を形成してもよい。カバー３の幅方向の両端には、上方に向けて突出するとともに上端を折り返した係合部３ｂを一体に有する。
【００１９】
固定板６は、光源基板５を保持する光源保持部６ａと、カバー３の係合部３ｂと係合するカバー保持部６ｂと、を一体に有する。これにより、固定板６とカバー３と光源基板５とは、器具本体２の光源収納凹部１０の長手方向に沿う長さ及び幅方向に延びる幅に応じた長さと幅とを有する。
【００２０】
端子台７は、図４に示すように、上面１０ａに固定した筐体７ａと、入力側と出力側とを対とする２対の端子と、を備える。本実施の形態では、端子台７は、入力側の端子として、第１入力端子７ｂ及び第２入力端子７ｃを有する。端子台７は、出力側の端子として第１出力端子７ｄ及び第２出力端子７ｅを備える。これらの各端子は、筐体７ａの内部において、入力側の第１入力端子７ｂと出力側の第１出力端子７ｄ、入力側の第２入力端子７ｃと出力側の第２出力端子７ｅ、がそれぞれ直列に電気的に接続している。
【００２１】
電源装置８は、図４に示すように、固定板６に固定した筐体８ａと、入力側と出力側とを対とする２対の端子と、を備える。本実施の形態では、入力側は端子台７と接続し、出力側は光源基板５と接続している（図示せず）。本実施の形態では、電源装置８は、入力側の端子として、第１入力端子８ｂ及び第２入力端子８ｃを有する。筐体８ａの内部において、第１入力端子８ｂ及び第２入力端子８ｃは、光源基板５の入力側と電気的に接続している。
【００２２】
スイッチ部９は、図４に示すように、器具本体２の縦壁面である縦壁１０ｂの一部と固定壁１０ｃとに跨った状態でネジ１５により固定した筐体９ａと、一対の受側端子９ｂと送側端子９ｃとを備える。本実施形態では、固定壁１０ｃは、上面１０ａに切り込みを入れて曲げた切り起こし状に形成されているが、上面１０ａに別部材を取り付けることにより形成されてもよい。
【００２３】
次に、端子台７、電源装置８、スイッチ部９の配線構造を、図４を参照して説明する。外部電源からの電力は、例えば、建物の天井から引き出した電源線１２から供給する。本実施の形態では、電源線１２のうち、例えば、高電位側の配線１２Ａを端子台７の第１入力端子７ｂに接続する。電源線１２のうち、例えば、低電位側の配線１２Ｂをスイッチ部９の受側端子９ｂに接続する。また、スイッチ部９の送側端子９ｃと第２入力端子７ｃとを連絡電線１３により接続する。そして、端子台７の第１出力端子７ｄ及び第２出力端子７ｅを接続線１４Ａ及び接続線１４Ｂを介して電源装置８に接続する。なお、接続線１４Ａ及び接続線１４Ｂは、上面１０ｃに形成した貫通穴１０ｆを貫通している。
【００２４】
このように、端子台７の近傍にスイッチ部９を配置するとともに、電源線１２から端子台７に至る低電位側の配線の途中でスイッチ部９を介在させている。これにより、電源線１２の高電位側の配線１２Ａと低電位側の配線１２Ｂの２つの配線の長さは略同じ長さの最短距離でよい。しかも、スイッチ部９と端子台７とが接近状態にあることから、スイッチ部９を経由させた端子台７との電気的接続を短い連絡電線１３によって行うことができる。
【００２５】
これにより、照明装置１の内部における配線（１２，１３，１４）の配策経路の簡素化や電気回路の簡素化に貢献することができるうえ、照明装置１を組み付ける際の配線作業を容易に行うことができる。
【００２６】
一方、スイッチ部９は、図３に示すように、筐体９ａの底面から、器具本体２の短手方向底面としての平坦壁１１ａに開設した穴部１１ｅを貫通して先端を外部に突出させた操作杆９ｄと、操作杆９ｄの先端に接続した紐状の操作体９ｅと、を備える。
【００２７】
したがって、操作杆９ｄと操作体９ｅとは、操作部９ｆを構成しており、この操作部９ｆの引っ張り操作に連動して光源基板５への電力の供給を切り替えるプルスイッチを用いている。
【００２８】
この際、スイッチ部９の操作部としての操作杆９ｄと操作体９ｅとは、カバー３を避けるように器具本体２の平坦壁１１ａに開設した穴部１１ｅを貫通する。穴部１１ｅは、スイッチ部９の真下にあって、器具本体２の折り曲げ加工若しくは独立した穴あけ加工の適宜のタイミングで形成すればよい。また、穴部１１ｅは、カバー３を避けた位置にあるため、カバー３と光源収納凹部１０との間に虫等の異物の入り込みを抑制することができる。さらに、段差のない面一の縦壁１０ｂの一部と固定壁１０ｃとの間に上面１０ａを有することから、操作体９ｅの引っ張り操作によって発生する加重に対して十分な強度を容易に確保することができる。
【００２９】
なお、スイッチ部９は、操作者による操作部（操作杆９ｄ及び操作体９ｅ）の引っ張り操作に連動して、引っ張り操作を行うたびに、照明装置１を点灯状態から消灯状態、又は消灯状態から点灯状態へと切り替えるものである。
【００３０】
この際、スイッチ部９は、例えば、多数の発光素子を段階的に点灯又は消灯することにより明るさを変更する場合などには、操作者による操作部の引っ張り操作を、回数或は引っ張り時間の長短で変更することも可能である。
【００３１】
ところで、上述した入力側及び出力側とは、配線接続を説明するための便宜上のものであって、実際の電力の入出力を意味するものではない。例えば、スイッチ部９にプルスイッチを用い、外部電源２０の低電位側に配置した場合、電気回路上の配線構造は図５に示すようになる。この際、スイッチ部９は、電源線１２の一方（低電位側の配線１２Ｂ）を接続した受側端子９ｂと、連絡電線１３の一端を接続した送側端子９ｃと、受側端子９ｂと送側端子９ｃとの接続状態を切り替えるスイッチング端子９ｇと、を備える構成となる。
【００３２】
したがって、図５に示した状態から、利用者が紐状の操作体９ｅを引いてスイッチング端子９ｇが閉じると、外部電源２０から配線１２Ａにより供給される交流電力が端子台７を介して電源装置８に入力される。電源装置８は、生成した直流電力を光源基板５に供給し、この供給電力によって発光素子４が点灯する。また、利用者が紐状の操作体９ｅを引いてスイッチング端子９ｇが開くと、交流電力が電源装置８に入力されなくなり、電源装置８から光源基板５への給電が停止され、発光素子４が消灯する。
【００３３】
一方、スイッチ部９にセンサスイッチを用いた場合、電気回路上の配線構造は図６に示すようになる。この際、スイッチ部９には、電源線１２の一方（高電位側の配線１２Ａ）と他方（低電位側の配線１２Ｂ）とを接続する。また、スイッチ部９と端子台７の入力側には、連絡電線１３Ａ及び１３Ｂの各一端を接続する構成となる。
【００３４】
このような基本構成において、本実施の形態に係る照明装置１は、一つ以上の発光素子４を実装した光源基板５を備え、外部電源２０からの電力を供給する電源線１２を接続した端子台７と、端子台７に接続線１４Ａ，１４Ｂを介して接続し、光源基板５に供給する点灯電力を生成する電源装置８と、発光素子４を点灯操作するためのスイッチ部９と、光源基板５と端子台７と電源装置８とスイッチ部９とを搭載した器具本体２と、を備え、スイッチ部９を外部電源２０と端子台７との間に配置することにより、内部配線の簡素化や電気回路の簡素化に貢献することにある。
【００３５】
具体的には、図３及び図４に示すように、スイッチ部９は、端子台７の近傍であって、器具本体２の縦壁面である縦壁１０ｂの一部と固定壁１０ｃとに跨った状態でネジ１５により固定する。そして、電源線１２のうち、高電位側の配線１２Ａを端子台７の第１入力端子７ｂに接続し、低電位側の配線１２Ｂをスイッチ部９の受側端子９ｂに接続する。
【００３６】
これにより、内部配線としての、配線１２Ａ，１２Ｂ、連絡電線１３、接続線１４Ａ，１４Ｂを短くし得て、しかも、単純な接続で良いことから、配線の簡素化や電気回路の簡素化に貢献することができる。
【００３７】
そして、スイッチ部９の操作杆９ｄ及び操作体９ｅを穴部１１ｅに貫通させ、照明装置１の外部に突出させれば、利用者は容易にプルスイッチとして利用することができる。なお、上記実施の形態では、例えば、建物壁面に配置したスイッチの図示及び説明は省略したが、このようなスイッチは必ずしも必要な構成ではない。
【００３８】
ところで、本発明の照明装置１は、上記の実施の形態に限定されるものでなく、特許請求の範囲に記載した技術的範囲には、発明の要旨を逸脱しない範囲内で種々、設計変更した形態が含まれる。
【００３９】
例えば、照明装置１は、天井に直接固定するものを開示したが、これに限らず、例えば、天井にシャフト状又は紐状（金属製のチェーン等を含む）の吊具を介して固定したものでもよい。なお、これらの各固定方式によって器具本体２の上面には、適宜の蓋体等やボルト・ナット５５等の固定部材を用いる。
【００４０】
また、以上既に述べた以外にも、上記実施の形態による手法を適宜組み合わせて利用しても良い。
【００４１】
その他、本発明は、その趣旨を逸脱しない範囲内において、種々の変更が加えられて実施されるものである。
【００４２】
例えば、上記実施の形態では、本発明の照明装置１のスイッチ部９としてプルスイッチに適用したものを開示したが、例えば、図６に示すように、無線信号を受信して光源基板５への電力の供給を切り替えるセンサスイッチや、プルスイッチとセンサスイッチとを併用したスイッチなど本発明の照明装置に適用可能である。
【００４３】
また、図７〜図９に示すように、端子台７と電源装置８とを接続線１４Ａ，１４Ｂを介してできるだけ近接した位置で光源収納凹部１０の上面１０ａに固定してもよい。このように、電源装置８を端子台７の近傍に配置することにより、端子台７の第１出力端子７ｄ及び第２出力端子７ｅと電源装置８の第１入力端子８ｂ及び第２入力端子８ｃとの接続を最小限の接続線１４Ａ及び接続線１４Ｂで接続することができる。特に、内部配線としての接続線１４Ａ，１４Ｂをさらに短くすることができる。また、端子台７と電源装置８とを下面１０ｄにも固定することが可能である。この際、端子台７及び電源装置８のうちの一方を上面１０ａに固定し、他方を下面１０ｄに固定することも可能である。
【００４４】
また、上記実施の形態では、開示した光源の他に、例えば、レーザーダイオードや有機発光ダイオードなどを利用することができ、光源の種類は特に限定されるものではない。
【００４５】
以上説明したように、本発明に係る照明装置は、照明装置の内部における配線の配策経路の簡素化や電気回路の簡素化に貢献することができるという効果を有し、照明光源に発光素子を用いた照明装置全般に有用である。
【符号の説明】
【００４６】
１    照明装置
２    器具本体
４    発光素子
５    光源基板（光源部）
７    端子台
８    電源装置
９    スイッチ部
９ｆ  操作部
１４Ａ  接続線
１４Ｂ  接続線
２０    外部電源
【図１】
2017041345.tif 000003
【図２】
2017041345.tif 000004
【図３】
2017041345.tif 000005
【図４】
2017041345.tif 000006
【図５】
2017041345.tif 000007
【図６】
2017041345.tif 000008
【図７】
2017041345.tif 000009
【図８】
2017041345.tif 000010
【図９】
2017041345.tif 000011